(57)【要約】【課題】  本発明は、布団などの寝具を載置したままであっても折り曲げることを可能とし、使用しない際の収納性を向上することができるベッドを提供する。【解決手段】  本発明は、ベッド１の長尺方向に並んで配置された前部天板部４および後部天板部２を少なくとも有し、前記前部天板部４および前記後部天板部２が、ベッドとして使用する際の平面状態から、ベッドとして使用する際に上面となる面を内側として折り曲げられるようになっており、前記前部天板部４および前記後部天板部２を折り曲げた際に前記前部天板部４と前記後部天板部２との間に寝具７等を収容する空間３６が備えられるようになっていることを特徴とするベッド１である。【選択図】  図６
2005095558.tif 000002
【特許請求の範囲】
【請求項１】
ベッドの長尺方向に並んで配置された前部天板部および後部天板部を少なくとも有し、前
記前部天板部および前記後部天板部が、ベッドとして使用する際の平面状態から、ベッド
として使用する際に上面となる面を内側として折り曲げられるようになっており、前記前
部天板部および前記後部天板部を折り曲げた際に前記前部天板部と前記後部天板部との間
に寝具等を収容する空間が備えられるようになっていることを特徴とするベッド。
【請求項２】
前記前部天板部と前記後部天板部との間に、中央天板部を連結すると共に、前記前部天板
部の前端部に頭部天板部が連結され、ベッドとして使用する際には、前記前部天板部、前
記後部天板部および前記中央天板部が平面状態となっていると共に、前記頭部天板部は上
方へ延びており、前記前部天板部および前記後部天板部が、前記中央天板部に対して、内
側に折り曲げられた状態で、前記後部天板部と前記頭部天板部とを、連結具を用いて連結
できるようにしたことを特徴とする請求項１に記載されたベッド。
【請求項３】
前記前部天板部または前記後部天板部を折り曲げた状態で前記中央天板部と係止する支持
具を備えたことを特徴とする請求項１または２に記載のベッド。
【請求項４】
前記中央天板部の下方に、ベッドを移動するための回転移動部材が設けられていることを
特徴とする請求項２または３に記載のベッド。
【請求項５】
前記前部天板部、前記後部天板部、前記中央天板部および前記頭部天板部が連結された状
態から、連結状態を解除して、夫々を別体とすることが可能であることを特徴とする請求
項２ないし４のいずれかに記載のベッド。
【請求項６】
前記空間は、ベッドの短尺方向から見て、下方から上方へいくに従って狭くなっているこ
とを特徴とする請求項１ないし５のいずれかに記載のベッド。
【請求項７】
前記中央天板部の脚部フレーム部と前部天板部の脚部フレーム部との間、および中央天板部の脚部フレーム部と後部天板部の脚部フレーム部との間に、それぞれ安全バーが架け渡され、前部天板部と後部天板部とを折り曲げた状態が、この安全バーによって保持可能となっていることを特徴とする請求項１ないし６のいずれかに記載のベッド。
【請求項８】
前記前部天板部、中央天板部、後部天板部のそれぞれの支持フレーム部の四隅に短脚部を着脱自在に取り付け、この短脚部を支持フレーム部に取り付け、各天板部の脚部フレーム部を折り畳んだ状態としたときに、ローベッドとなるようにしたことを特徴とする請求項１ないし７のいずれかに記載のベッド。
【発明の詳細な説明】
【技術分野】
【０００１】
本発明は、ベッドとして使用する際の平面状態に対し、ベッドとして使用しない際には
折り曲げることにより、省スペース化を図ることが可能なベッドに関するものである。
【背景技術】
【０００２】
従来から、折り畳み状態にすることで幅を短縮でき、携帯や格納に便利な折り畳みベッ
ドが知られており（例えば、特許文献１〜３参照。）、更に、例えば、一対の脚枠間に架
設する支持棹に対し、硬質板状体から構成され、上面に品物を載置できる平坦な載置面を
有するシート部材を、シート部材の底面に設けた締付バンドにより固定すると共に、締付
バンドを外すことにより、シート部材を支持棹から取り外すことが可能な折り畳みベッド
が知られている（例えば、特許文献４参照。）。
【特許文献１】特公平７−３６７８６号公報
【特許文献２】特開平９−８４６６３号公報
【特許文献３】特開平８−２９９１１２号公報
【特許文献４】登録実用新案第３０３６９７８号公報
【発明の開示】
【発明が解決しようとする課題】
【０００３】
しかしながら、上記のような従来技術において、折り畳みベッドは、簡易のベッドであ
って布団などの寝具を載置することを想定しておらず、また、折り畳みベッドを格納する
ためには、シート部材を支持棹から取り外す必要がある等、シート部材に布団などの寝具
を載置したまま、折り畳みベッドを格納するものではなく、ベッドや寝具を使用しない際
に、ベッドや寝具の収納性を考慮するものではなかった。
【０００４】
また、従来型のベッドとしては、枠状のフレームの上にマットレスを設置するものが一
般的である。ところが、このような従来型のベッドにおいては、ベッドを折り畳むことは
全く考慮されておらず、マットレスに布団などの寝具を載置したまま、ベッドを折り畳ん
で格納することはできず、ベッドや寝具を使用しない際に、ベッドや寝具の収納性につき
問題があった。
【０００５】
本発明は、上記問題点に鑑みてなされたものであり、ベッドを使用していない際に、ベ
ッドや寝具の収納性を高めることができるベッドを提供することを目的とする。
【課題を解決するための手段】
【０００６】
上記目的のため、本発明は、ベッドの長尺方向に並んで配置された前部天板部および後
部天板部を少なくとも有し、前記前部天板部および前記後部天板部が、ベッドとして使用
する際の平面状態から、ベッドとして使用する際に上面となる面を内側として折り曲げら
れるようになっており、前記前部天板部および前記後部天板部を折り曲げた際に前記前部
天板部と前記後部天板部との間に寝具等を収容する空間が備えられるようになっているこ
とを特徴とするである。
この発明によれば、ベッドに布団などの寝具を収容する空間が、前部天板部および後部
天板部を折り曲げた際に前部天板部と後部天板部との間に備えられるようになっているの
で、布団などの寝具をベッドに載置したままであってもベッドを折り曲げることを可能と
し、ベッドを使用しない際の収納性を向上することができ、また、ベッドを折り曲げた際
、布団などの寝具がベッドの内側に存在するので、寝具が外側に出てしまっている場合に
比べ、寝具が汚れることを防止し、また、ベッドを使用しない際に、ベッド回りがコンパ
クトに整理されていて、外観上の見栄えが良い。
【０００７】
また、この発明によれば、前記前部天板部および前記後部天板部が折り曲げられた状態
で、上方から前記前部天板部および前記後部天板部を覆うように寝具を載置することによ
り寝具を乾すことが可能なようになっていても良く、このようにすることにより、ベッド
を折り曲げた状態で、ベッドを寝具を乾かすために使用できるため、特に、寝具を乾かす
ための器具を用意する必要がなく、容易に、寝具を乾かすことができる。
【０００８】
また、本発明では、前記前部天板部と前記後部天板部との間に、中央天板部を連結する
と共に、前記前部天板部の前端部に頭部天板部が連結され、ベッドとして使用する際には
、前記前部天板部、前記後部天板部および前記中央天板部が平面状態となっていると共に
、前記頭部天板部は上方へ延びており、前記前部天板部および前記後部天板部が、前記中
央天板部に対して、内側に折り曲げられた状態で、前記後部天板部と前記頭部天板部とを
、連結具を用いて連結できるようにしても良い。
この発明によれば、ベッドとして使用する際の状態から、前部天板部および後部天板部
が、中央天板部に対して、ベッドとして使用する際に上面となる面を内側として折り曲げ
られるようになっているので、布団などの寝具の収納性が良く、たとえ、寝具をベッドに
載置したままであってもベッドを折り曲げることを可能とし、ベッドを使用しない際の収
納性を向上することができる。また、前部天板部の折り曲げに伴って頭部天板部が上方へ
移動することで、後部天板部と頭部天板部とを、連結具を用いて連結できるので、前部天
板部および後部天板部の折り曲げ状態を確実に維持できる。
【０００９】
また、本発明では、前記前部天板部または前記後部天板部を折り曲げた状態で前記中央
天板部と係止する支持具を備えていても良い。
この発明によれば、前部天板部または後部天板部の折り曲げ状態を確実に維持できる。
【００１０】
また、本発明では、前記中央天板部の下方に、ベッドを移動するための回転移動部材が
設けられていても良い。
この発明によれば、ベッドを使用していない際に、容易に、ベッドを移動することがで
きる。
【００１１】
また、本発明では、前記前部天板部、前記後部天板部、前記中央天板部および前記頭部
天板部が連結された状態から、連結状態を解除して、夫々を別体とすることが可能であっ
ても良い。
この発明によれば、各々の天板を、容易に運搬することができる。
【００１２】
また、本発明では、前記空間は、ベッドの短尺方向から見て、下方から上方へいくに従
って狭くなっていても良い。
この発明によれば、寝具を載せた状態で、ベッドを折り畳んだ際、寝具が下方へ落ちて
いった状態で載置することを可能とでき、また、空間の下側に、枕などの備品を載置する
ことを可能とするので、ベッドの安定性を向上でき、また、ベッドを折り曲げた状態で、
ベッドの上に、寝具をかけた場合、ベッドの安定化を図ることができる。
【００１３】
また、本発明では、前記中央天板部の脚部フレーム部と前部天板部の脚部フレーム部との間、および中央天板部の脚部フレーム部と後部天板部の脚部フレーム部との間に、それぞれ安全バーが架け渡され、前部天板部と後部天板部とを折り曲げた状態が、この安全バーによって保持可能となっているもよい。
この発明によれば、前部天板部と後部天板部とが折り曲げ状態から不用意に倒れることがない。
【００１４】
さらに、本発明にでは、前部天板部、中央天板部、後部天板部のそれぞれの支持フレーム部の四隅に短脚部を着脱自在に取り付け、この短脚部を支持フレーム部に取り付け、各天板部の脚部フレーム部を折り畳んだ状態としたときに、ローベッドとなるようにしてもよい。
この発明によれば、使用者が何らかの理由でベッド上に立ち上がっても安定でありｍ安全性が高い。
【発明の効果】
【００１５】
以上のように、本発明によれば、ベッドに布団などの寝具を収容する空間が、前部天板
部および後部天板部を折り曲げた際に前部天板部と後部天板部との間に備えられるように
なっているので、布団などの寝具をベッドに載置したままであってもベッドを折り曲げる
ことを可能とし、ベッドを使用しない際の収納性を向上することができ、また、ベッドを
折り曲げた際、布団などの寝具がベッドの内側に存在するので、寝具が外側に出てしまっ
ている場合に比べ、寝具が汚れることを防止し、また、ベッドを使用しない際に、ベッド
回りがコンパクトに整理されていて、外観上の見栄えが良い。
【発明を実施するための最良の形態】
【００１６】
以下、本発明の実施の形態につき、図面を参照として説明する。
図１は、本発明の実施の形態によるベッド１につき、ベッド１として使用する際の平面
状態を示す図であり、図２は、ベッド１として不使用の際の後部天板部２を折り畳んだ状
態を示す図であり、図３は、ベッド１として不使用の際の後部天板部２および前部天板部
４を折り曲げ状態を示す図である。
【００１７】
本発明の実施の形態によるベッド１は、ベッド１の長尺方向に、後部天板部２、中央天
板部３、前部天板部４、頭部天板部５が並んで配置されているものであり、後部天板部２
の前端部と中央天板部３の後端部が連結機構６により連結されており、中央天板部３の前
端部と前部天板部４の後端部が連結機構６により連結されており、前部天板部４の前端部
と頭部天板部５の下端部が連結されている。前部天板部４、後部天板部２および中央天板
部３が平面状態となっていると共に、頭部天板部５は上方へ延びるようになっている。
【００１８】
後部天板部２、中央天板部３、および前部天板部４の夫々は、上面に布団などの寝具７
が載置されるマット部８と、マット部８の下面に固定され、マット部８を支える支持フレ
ーム部９と、支持フレーム部９に接続されており、マット部８を上方に浮かせた状態とす
るための脚部フレーム部１０とから構成されている。
マット部８は、略長方形の平板状であり、クッション性を有するものである。マット部
８の大きさは、後部天板部２、中央天板部３、および前部天板部４において、同じ大きさ
となっている。
【００１９】
支持フレーム部９は、各々の天板部２、３、４において、金属製のパイプが、ベッド１
の長手方向およびその直交方向である短手方向に並んで配置されており、マット部８上に
寝具７が載置され、寝具７上に人体が載っても、その重量に充分、耐えられる強度を備え
たものである。
図２、３におけるように、中央天板部３における支持フレーム部９は、ベッド１とされ
た際に長尺方向となる方向における両端部に、マット部８から突出して、夫々、後部天板
部２のマット部８の前端部および前部天板部４のマット部８の後端部を下方から支持する
突出支持部３５を備えている。
【００２０】
図８におけるように、脚部フレーム部１０は、後部天板部２には後端部に１箇所、中央
天板部３には前端部および後端部の夫々に１箇所ずつで計２箇所、前部天板部４には前端
部に１箇所、備えられている。脚部フレーム部１０は、両端部が支持フレーム部９に支持
される略コ字状であり、夫々の脚部フレーム部１０は、両端部を支点として回動すること
により、ベッド１としての使用状態における起立位置と不使用状態における折曲位置とに
移動可能となっている。夫々の脚部フレーム部１０を回動することにより起立位置とした
場合、脚部フレーム部１０の端部近傍のマット部係合部１１がマット部８に係合すること
により、脚部フレーム部１０の起立位置が維持されるようになっている。中央天板部３に
おける２つの脚部フレーム部１０の下部には、夫々の脚部フレーム部１０につき、ベッド
１の短尺方向に間隔を置いて２つずつの回転移動部材としてのキャスター１２が設けられ
ており、キャスター１２が回転することで、ベッド１を折り曲げた状態で、ベッド１を押
すことにより移動させることができるようになっている。
【００２１】
図３、１０におけるように、頭部天板部５には、マット部８と支持フレーム部９が備え
られており、支持フレーム部９には下方に延びる２つの下端部が設けられ、この２つの下
端部が、前部天板部４の前端部に設けられている頭部天板部支持部１３における２つの挿
入穴に挿入され、頭部天板部５が前部天板部４に交差した状態で支持・固定されるように
なっている。
【００２２】
図１〜３におけるように、後部天板部２は、中央天板部３に対し、後部天板部２の前端
部と中央天板部３の後端部とを連結する連結機構６の位置を支点として、ベッド１として
使用する際の平面状態から、ベッド１として使用する際に上面となる面を内側として折り
曲げられるようになっている。また、前部天板部４は、中央天板部３に対し、前部天板部
４の後端部と中央天板部３の前端部とを連結する連結機構６の位置を支点として、ベッド
１として使用する際の平面状態から、ベッド１として使用する際に上面となる面を内側と
して折り曲げられるようになっている。これにより、ベッド１に布団などの寝具７を敷設
した状態で前部天板部４および後部天板部２を折り曲げられるようにする空間３６が、前
部天板部４および後部天板部２を折り曲げた際に前部天板部４と後部天板部２との間に備
えられるようになっている。
【００２３】
図３におけるように、頭部天板部５は、前部天板部４に固定されているため、ベッド１
が平面状態から折り曲げられた場合に、後部天板部２の後端部と頭部天板部５の上端部と
が近接することとなる。これにより、ベッド１は、折り曲げられた状態、即ち、ベッド１
として不使用の状態において、ベッド１の短尺方向（例えば、図８における紙面に対して
直交する方向）から見て、前部天板部４、中央天板部３、後部天板部２、頭部天板部５の
夫々の側部を辺とした略四角形となるものである。また、前部天板部４、中央天板部３、
後部天板部２、頭部天板部５の夫々の側部の内側に形成される空間３６は、ベッドの短尺
方向から見て、下方から上方へいくに従って狭くなる（上方から下方へいくに従って広く
なる）略四角形状（略台形状）となっている。
【００２４】
図３におけるように、ベッド１が折り曲げられて、後部天板部２の後端部と頭部天板部
５の上端部とが近接している状態において、後部天板部２の後端部と頭部天板部５の上端
部とを連結する２つの連結具１４が、ベッドの短尺方向に間隔を置いて、備えられている
。
【００２５】
図３、１１、１２におけるように、この連結具１４は、ベルト状であって、使用者が、
一端部が頭部天板部５のマット部８の上端部に繋がれている状態の雄側連結具１５を、後
部天板部２の支持フレーム部９の後端部に繋がれている状態の雌側連結具１６に嵌めるこ
とにより、後部天板部２の後端部と頭部天板部５の上端部とを連結するものである。図１
１における雄側連結具１５と雌側連結具１６との連結がされていない状態から、手動によ
り、図１２における雄側連結具１５を雌側連結具１６に嵌めることにより連結されている
状態とする。また、図１２における連結されている状態から図１１における連結が解除さ
れている状態にすることもできる。
【００２６】
また、図３、図１３〜１６におけるように、ベッド１が折り曲げられている状態におい
て、ベッド１の折り曲げ状態を維持するため、一端側が中央天板部３におけるマット部８
に連結されている中央天板部側支持ベルト１８の他端側に設けられた雌側支持具１９に、
一端側が後部天板部２におけるマット部８に連結されている後天板部側支持ベルト２０の
他端側に設けられた雄側支持具２２を嵌めることで連結することにより、中央天板部３に
対する後部天板部２の折り曲げ状態を維持する支持具１７を備えている。この支持具１７
は、中央天板部３および後部天板部２の短手方向両端側に、夫々備えられている。また、
中央天板部３および後部天板部２の短手方向片端側にのみ備えるようにしても良い。中央
天板部３におけるマット部８には、雌側支持具保持具２３が設けられている。雌側支持具
保持具２３は、雌側支持具１９が使用されていない状態において、雌側支持具１９を保持
することにより、雌側支持具１９を位置固定しておくものであり、雌側支持具１９を嵌め
る雄側保持部２２を備えている。後部天板部２におけるマット部８には、雄側支持具保持
具２５が設けられている。雄側支持具保持具２５は、雄側支持具２１が使用されていない
状態において、雄側支持具２１を保持することにより、雄側支持具２１を位置固定してお
くものであり、雄側支持具２１に嵌められる雌側保持部２４を備えている。
【００２７】
図１３におけるように、雌側支持具１９が雄側保持部２２を嵌めており、雄側支持具２
１が雌側保持部２４に嵌められている状態から、図１４におけるように、雌側支持具１９
を雄側保持部２２から外すと共に、雄側支持具２１を雌側保持部２４から外し、図１５に
おけるように、前部天板部４を折り曲げた状態とし、図１６におけるように、雌側支持具
１９に雄側支持具２１を嵌めることにより、中央部天板部３に対する前部天板部４の折り
曲げ状態が維持される。
尚、後天板部側支持ベルト２０に加えて、または、後天板部側支持ベルト２０に代えて
、一端側が前部天板部４におけるマット部８に連結されている前天板部側支持ベルトを備
えるようにし、一端側が中央天板部３におけるマット部８に連結されている中央天板部側
支持ベルトの他端側と、一端側が前部天板部４におけるマット部８に連結されている前部
天板部側支持ベルトの他端側とを、連結することにより、中央天板部３に対する前部天板
部４の折り曲げ状態を維持する支持具１７を備えるようにしても良い。
【００２８】
尚、図４〜６におけるように、本発明の実施の形態において、上記のような、前部天板
部４および後部天板部２を、中央天板部３に対して、ベッド１として使用する際に上面と
なる面を内側として折り曲げることにより、前部天板部４、後部天板部２、および中央天
板部３に、布団などの寝具７が載せられている際に、寝具７を載せたままで行うことが可
能となる。ベッド１が折り曲げられた状態、即ち、ベッド１として不使用の状態において
、ベッド１の短尺方向から見て、前部天板部４、中央天板部３、後部天板部２、頭部天板
部５の夫々の側部を辺とした略四角形（頭部天板部５が上辺、中央天板部３が底辺、前部
天板部４および後部天板部２が側辺）となるものであるため、折り曲げられたベッド１の
内側に、充分な、布団などの寝具７を収納するスペースを確保できる。
【００２９】
また、折り曲げられたベッド１の内側に布団などの寝具７を収納した状態で、ベッド１
を収納する収納カバーを、折り曲げられているベッド１の上方から被せることにより、ベ
ッド１が置かれる部屋などの空間の美観を良くすることができる。
【００３０】
また、図７におけるように、折り曲げられたベッド１の内側には、例えば、マットレス
および敷布団のみを収納し、ベッドの上方に、例えば、掛布団２６を載置し、掛布団２６
により上方からベッド１、特に、頭部天板部５、前部天板部４、および後部天板部２、を
覆うようにすることにより、特別な寝具掛具を必要とすることなく、掛布団２６等の寝具
を乾すことが可能となる。
【００３１】
また、本発明の実施の形態において、図９における、前部天板部４、後部天板部２、中
央天板部３および頭部天板部５の夫々は、互いに連結された状態から、前部天板部４と中
央天板部３間の連結機構６による連結状態を解除し、後部天板部２と中央天板部３間の連
結機構６による連結状態を解除し、前部天板部４における頭部天板部支持部１３から、頭
部天板部５の支持フレーム部９の下端部を抜き出すことにより、互いの連結状態を解除し
て、図１０におけるように、夫々を別体とすることが可能である。また、前部天板部４、
後部天板部２、中央天板部３および頭部天板部５の夫々が別体の状態から、前部天板部４
と中央天板部３を連結機構６により連結し、後部天板部２と中央天板部３を連結機構６に
より連結し、前部天板部４における頭部天板部支持部１３に、頭部天板部５の支持フレー
ム部９の下端部を挿入することにより、互いに連結した状態とすることが可能である。
【００３２】
後部天板部２の前端部と中央天板部３の後端部との連結機構６による連結、および、中
央天板部３の前端部と前部天板部４の後端部との連結機構６による連結は、具体的には、
以下のように、行われる。
即ち、図１７におけるように、中央天板部３の前端部および後端部には、中央天板部側
連結機構２７として、所定間隔をおいて配置される２つの中央天板部側筒部２８を有する
と共に、夫々、２つの中央天板部側筒部２８に一端が嵌り込むと共に他端が中央天板部側
筒部２８より突出し、夫々が２つの中央天板部側筒部２８に対して相対移動して、２つの
中央天板部側筒部２８間の空間に突出可能な、２つの軸部２９を備えている。また、後部
天板部２の前端部および前部天板部４の後端部には、夫々、後部天板部側連結機構３０お
よび前部天板部側連結機構３１として、２つの中央天板部側筒部２８の間に位置するよう
に位置決めされる後部天板部側筒部３２および前部天板部側筒部３３を備えている。図１
８におけるように、２つの中央天板部側筒部２８の間に後部天板部側筒部３２および前部
天板部側筒部３３を位置決めした状態で、図１９におけるように、２つの軸部２９を移動
させることにより、後部天板部側筒部３２および前部天板部側筒部３３に軸部２９を嵌り
込ませることにより、後部天板部２の前端部と中央天板部３の後端部との連結機構６によ
る連結、および、中央天板部３の前端部と前部天板部４の後端部との連結機構６による連
結を行っている。また、軸部２９に設けられた溝部３４に、中央天板部側筒部２８に設け
られた突部が係合することにより、軸部２９を位置固定して、軸部２９が後部天板部側筒
部３２および前部天板部側筒部３３から外れることを防止している。また、軸部２９を回
動中心として、後部天板部２および前部天板部４が、中央天板部３に対し、折り曲がるよ
うになっている。
【００３３】
前部天板部４、後部天板部２、中央天板部３および頭部天板部５の夫々は、連結が解除
され、別体となった状態において、天板部運搬用カバーに入れられ、別々に運搬すること
が可能となっている。
【００３４】
図２０ないし図２２は、本発明のベッドの変形例を示すものである。この例では、後部天板部２の脚部フレーム部１０と中央天板部３の後部天板部２側の脚部フレーム部１０との間、および中央天板部３の前部天板部４側の脚部フレーム部１０と前部天板部４の脚部フレーム部１０との間に、それぞれ安全バー４１、４１が架け渡されて設けられている。
この安全バー４１は、角パイプからなり、その両端部にはＪ字状の爪部４２、４２が取り付けられており、この爪部４２、４２を上記各脚部フレーム部１０の横棒１０ａに係合することで、この安全バー４１が脚部フレーム部１０に架け渡されている。
【００３５】
また、この安全バー４１には、その側方に突出したフック取付パイプ４３が固着されている。このフック取付パイプ４３は、角パイプからなり、その基端部は安全バー４１に溶接などのより固着されており、その先端部付近にはフック４４が取り付けられている。
このフック４４は、金属製の丸棒を略Ｕ字状に２回折り曲げて形成されたもので、その一端の挿入部４５はフック取付パイプ４３に穿設された挿入孔に挿入されており、かつこの挿入部４５の先端部にはコイルバネ４６の受け座４７が固着されている。
そして、フック取付パイプ４３と受け座４７との間には、コイルバネ４６が挿入部４５を内挿するようにして装着されており、このコイルバネ４６によりフック４４が受け座４７方向に常時付勢されている。
【００３６】
さらに、フック４４の挿入部４５の折り曲げ部の付近には、これを貫通する貫通孔が形成されており、この貫通孔には引張リング４８が挿通されて取り付けられている。そして、この引張リング４８を引っ張ることで、フック４４がコイルバネ４６の弾撥力に抗して移動し、フック４４の他端の掛止部４９がフック取付パイプ４３に対してこれに直交する方向に往復移動可能となっている。
【００３７】
かくして、図２１、図２２に示すように、後部天板部２、前部天板部４を上方に回動させて折り曲げ、それらの脚部フレーム部１０を下方に回動させて折り畳んだ状態としたときに、安全バー４１のフック４４の引張リング４８を上方に引っ張り上げ、その掛止部４９を、支持フレーム部９の横桟に掛け止めることができる。これにより、後部天板部２、前部天板部４が折り曲げられた状態から、不用意に倒れることが防止され、安全性が高められる。
【００３８】
図２３および図２４は、本発明のベッドの他の変形例を示すものである。この例のベッドにおいては、前部天板部４、中央天板部３、後部天板部２の各支持フレーム部９、９・・の四隅に、高さの低い短脚部５１、５１・・が着脱自在に、例えばねじ止めなどによって取り付けられている。
この短脚部５１は、円柱状の支柱部５２と、この支柱部５２の下端部に連接された円盤状の接地部５３とからなり、支柱部５２の上端には雄ねじが形成され、支持フレーム部９に形成された雌ねじに螺合できるようになっている。
また、この短脚部５１の高さは、１０〜２０ｃｍ程度とされている。
【００３９】
そして、図２４に示すように、各天板部２、３、４の脚フレーム部１０、１０・・・を折り畳んだ状態とした場合には、この短脚部５１の接地部５３が床に直接接するようになっており、この状態において、この例のベッドは、低床タイプのローベッドとして機能するようになっている。
このようなローベッドでは、ベッド上に老人、病人が立ち上がっても安定であり、安全性が高いものとなる。
【００４０】
さらに、図２５および図２６は、いずれも図２４に示した低床タイプのローベッドの他の使用形態を示すものである。
図２５に示した使用形態にあっては、後部天板部２および中央天板部３が、脚部フレーム部１０、１０・・・を折り畳んだ低床状態とされ、前部天板部４が上方に持ち上げられ、それの脚部フレーム部１０を折り畳んだ状態から延ばした状態となっており、前部天板部４が傾斜したリクライニング状態とされたものである。この使用形態では、使用者の胸部および頭部が斜め上方に持ち上げられた状態となり、読書などをするのに好適なものとなる。
図２６に示した使用形態にあっては、前部天板部４および中央天板部３が、脚部フレーム部１０、１０・・・を折り畳んだ低床状態とされ、後部天板部２が上方に持ち上げられ、それの脚部フレーム部１０を折り畳んだ状態から延ばした状態となっており、後部天板部２が傾斜した状態とされたものである。この使用形態では、使用者の脚部が斜め上方に持ち上げられた状態となり、脚部の血行を促進するなどの効果がある。
【図面の簡単な説明】
【００４１】
【図１】本発明の実施の形態によるベッドの使用状態を示す斜視図である。
【図２】本発明の実施の形態によるベッドの不使用状態を示す斜視図である。
【図３】本発明の実施の形態によるベッド不使用時の折り曲げ状態を示す斜視図である。
【図４】本発明の実施の形態によるベッドに寝具が載せられた状態を示す斜視図である。
【図５】本発明の実施の形態によるベッドに寝具が載せられた状態で折り曲げられていることを示す斜視図である。
【図６】本発明の実施の形態によるベッドに寝具が載せられた状態で折り曲げられていることを示す斜視図である。
【図７】本発明の実施の形態によるベッドが折り曲げられている状態で掛布団に覆われていることを示す斜視図である。
【図８】本発明の実施の形態によるベッドの脚部フレーム部を示す側面図である。
【図９】本発明の実施の形態によるベッドの天板部が連結されている状態を示す平面図である。
【図１０】本発明の実施の形態によるベッドの天板部の連結状態が解除されている状態を示す平面図である。
【図１１】本発明の実施の形態によるベッドの連結具が離間している状態を示す図である。
【図１２】本発明の実施の形態によるベッドの連結具が連結している状態を示す図である。
【図１３】本発明の実施の形態によるベッドの支持具が使用されていない状態を示す図である。
【図１４】本発明の実施の形態によるベッドの支持具を使用するために保持部から外した状態を示す図である。
【図１５】本発明の実施の形態によるベッドの支持具による支持をする直前状態を示す図である。
【図１６】本発明の実施の形態によるベッドの支持具による支持状態を示す図である。
【図１７】本発明の実施の形態によるベッドの連結機構による連結前状態を示す図である。
【図１８】本発明の実施の形態によるベッドの連結機構による連結直前状態を示す図である。
【図１９】本発明の実施の形態によるベッドの連結機構による連結状態を示す図である。
【図２０】本発明のベッドの変形例におけるベッド状態を示す斜視図である。
【図２１】変形例での安全バーの要部を拡大して示す斜視図である。
【図２２】変形例における折り曲げ状態を示す斜視図である。
【図２３】本発明のベッドの他の変形例を示す斜視図である。
【図２４】他の変形例におけるベッド状態を示す側面図である。
【図２５】他の変形例におけるベッド状態を示す側面図である。
【図２６】他の変形例におけるベッド状態を示す側面図である。
【符号の説明】
【００４２】
１‥‥ベッド、２‥‥後部天板部、３‥‥中央天板部、４‥‥前部天板部、５‥‥頭部天
板部、６‥‥連結機構、７‥‥寝具、８‥‥マット部、９‥‥支持フレーム部、１０‥‥
脚部フレーム部、１１‥‥マット部係合部、１２‥‥キャスター、１３‥‥頭部天板部支
持部、１４‥‥連結具、１５‥‥雄側連結具、１６‥‥雌側連結具、１７‥‥支持具、１
８‥‥中央天板部側支持ベルト、１９‥‥雌側支持具、２０‥‥後部天板部側支持ベルト
、２１‥‥雄側支持具、２２‥‥雄側保持部、２３‥‥雄側支持具保持具、２４‥‥雌側
保持部、２５‥‥雄側支持具保持具、２６‥‥掛布団、２７‥‥中央天板部側連結機構、
２８‥‥中央天板部側筒部、２９‥‥軸部、３０‥‥後部天板部側連結機構、３１‥‥前
部天板部側連結機構、３２‥‥後部天板部側筒部、３３‥‥前部天板部側筒部、３４‥‥
溝部、３５‥‥突出支持部、３６‥‥空間、４１・・・安全バー、５１・・・低脚部
【図１】
2005095558.tif 000003
【図２】
2005095558.tif 000004
【図３】
2005095558.tif 000005
【図４】
2005095558.tif 000006
【図５】
2005095558.tif 000007
【図６】
2005095558.tif 000008
【図７】
2005095558.tif 000009
【図８】
2005095558.tif 000010
【図９】
2005095558.tif 000011
【図１０】
2005095558.tif 000012
【図１１】
2005095558.tif 000013
【図１２】
2005095558.tif 000014
【図１３】
2005095558.tif 000015
【図１４】
2005095558.tif 000016
【図１５】
2005095558.tif 000017
【図１６】
2005095558.tif 000018
【図１７】
2005095558.tif 000019
【図１８】
2005095558.tif 000020
【図１９】
2005095558.tif 000021
【図２０】
2005095558.tif 000022
【図２１】
2005095558.tif 000023
【図２２】
2005095558.tif 000024
【図２３】
2005095558.tif 000025
【図２４】
2005095558.tif 000026
【図２５】
2005095558.tif 000027
【図２６】
2005095558.tif 000028